(57)【特許請求の範囲】
【請求項１】
ホログラフィを利用して情報が記録される情報記録層を備えた光情報記録媒体に対して情報を記録するための光情報記録方法であって、光源から出射された光束の少なくとも一部を空間的に変調することで情報を担持した情報光と記録用参照光とからなる仮想情報光を生成し、前記情報記録層に前記仮想情報光と仮想記録用参照光との干渉による干渉パターンによって情報が記録されるように、前記仮想情報光および前記仮想記録用参照光を前記情報記録層に対して照射することを特徴とする光情報記録方法。
【請求項２】
前記情報記録層の複数の領域に対して、前記仮想記録用参照光が同じ条件となるように前記仮想情報光と前記仮想記録用参照光との干渉による干渉パターンを記録することを特徴とする請求項１に記載の光情報記録方法。
【請求項３】
前記複数の領域は互いに重畳しないことを特徴とする請求項２に記載の光情報記録方法。
【請求項４】
前記仮想情報光および前記仮想記録用参照光は、前記光情報記録媒体を回転させながら、前記仮想情報光を中心として前記仮想記録用参照光を前記光情報記録媒体と同じ角速度および回転方向で回転させつつ前記複数の領域に対して照射されることを特徴とする請求項２または３に記載の光情報記録方法。
【請求項５】
空間的に変調することで情報を担持した情報光と記録用参照光とからなる仮想情報光と仮想記録用参照光とをホログラフィを利用して情報が記録される情報記録層を備えた光記録媒体に照射し、照射領域における前記仮想情報光と前記仮想記録用参照光との干渉パターンを情報として記録する光情報記録方法であって、
第１の条件で前記仮想情報光および前記仮想記録用参照光を前記光記録媒体の複数箇所に照射して複数の第１の照射領域を形成して第１の情報群を記録し、
第２の条件で前記仮想情報光および前記仮想記録用参照光を前記光記録媒体の複数箇所に前記第１の照射領域と重畳するように照射して複数の第２の照射領域を形成して第２の情報群を記録することを特徴とする光情報記録方法。
【請求項６】
前記複数の第１の照射領域は互いに重畳しないことを特徴とする請求項５に記載の光情報記録方法。
【請求項７】
前記情報光の光軸と前記記録用参照光の光軸が、同一線上であることを特徴とする請求項１乃至請求項６のいずれか１項に記載の光情報記録方法。
【請求項８】
前記仮想記録用参照光は、平行光であることを特徴とする請求項１乃至請求項７のいずれか１項に記載の光情報記録方法。
【請求項９】
空間的に変調することで情報を担持した情報光と記録用参照光とからなる仮想情報光と仮想記録用参照光とをホログラフィを利用して情報が記録される情報記録層を備えた第１の光情報記録媒体に照射し、照射領域における前記仮想情報光と前記仮想記録用参照光との干渉パターンを情報として記録された前記第１の光情報記録媒体における記録された情報を第２の光情報記録媒体に記録させる光情報記録方法であって、
前記第１の光情報記録媒体に対して前記仮想記録参照光と同じ条件の仮想再生用参照光を照射し、前記仮想再生用参照光が照射されることによって前記情報記録層より発生される前記仮想情報光を前記第２の光情報記録媒体に照射し、前記仮想情報光の情報光と記録用参照光との干渉パターンを前記第２の光情報記録媒体の情報記録層に記録することを特徴とする光情報記録方法。
【請求項１０】
前記仮想再生用参照光は、前記第１の光情報記録媒体の情報記録層の複数の前記照射領域に対して照射され、前記複数の照射領域から、複数の前記仮想情報光が一度に再生されることを特徴とする請求項９に記載の光情報記録方法。
【請求項１１】
前記仮想再生用参照光は、前記第１の光情報記録媒体の情報記録層の全面に対して照射することを特徴とする請求項１０に記載の光情報記録方法。
【請求項１２】
前記仮想再生用参照光は、前記仮想記録参照光と位相共役であることを特徴とする請求項９乃至１１のいずれか１項に記載の光情報記録方法。
【請求項１３】
前記仮想再生用参照光は、前記第１の光情報記録媒体に対して、前記仮想記録参照光の照射方向と正反対の向きに照射されることを特徴とする請求項９乃至１１のいずれか１項に記載の光情報記録方法。
【請求項１４】
前記第１の光情報記録媒体の情報記録層より発生される前記仮想情報光を倍率を変更して前記第２の光情報記録媒体に照射することを特徴とする請求項９乃至１３のいずれか１項に記載の光情報記録方法。
【請求項１５】
前記第１の光情報記録媒体の情報記録層より発生される前記仮想情報光を第１の焦点距離を有する第１のレンズと第２の焦点距離を有する第２のレンズを介在させて前記第２の光情報記録媒体に照射することを特徴とする請求項９乃至１３のいずれか１項に記載の光情報記録方法。
【請求項１６】
前記第２の光情報記録媒体の情報記録層に記録された前記仮想情報光の情報光と記録用参照光との干渉パターンは、前記仮想再生用参照光の波長と異なる波長の光によって再生されることを特徴とする請求項１４又は１５の光情報記録方法。
【請求項１７】
前記第１の光情報記録媒体の方が前記第２の光情報記録媒体よりも大きいことを特徴とする請求項９乃至１６のいずれか１項に記載の光情報記録方法。
【請求項１８】
空間的に変調することで情報を担持した情報光と記録用参照光とからなる仮想情報光と第１の仮想記録用参照光とをホログラフィを利用して情報が記録される情報記録層を備えた第１の光情報記録媒体に照射し、照射領域における前記仮想情報光と前記第１の仮想記録用参照光との干渉パターンを情報として記録された前記第１の光情報記録媒体における記録された情報を第２の光情報記録媒体に記録させる光情報記録方法であって、
前記第１の光情報記録媒体に対して前記第１の仮想記録参照光と同じ条件の仮想再生用参照光を照射し、前記仮想再生用参照光が照射されることによって前記情報記録層より発生される前記仮想情報光を前記第２の光情報記録媒体に照射し、且つ前記第２の光情報記録媒体に対し第２の仮想記録用参照光を照射し、前記仮想情報光と前記第２の記録用参照光との干渉パターンを前記第２の光情報記録媒体の情報記録層に記録することを特徴とする光情報記録方法。
【請求項１９】
前記仮想再生用参照光は、前記第１の光情報記録媒体の情報記録層の複数の前記照射領域に対して照射され、前記複数の照射領域から、複数の前記仮想情報光が一度に再生されることを特徴とする請求項１８に記載の光情報記録方法。
【請求項２０】
前記第２の仮想記録用参照光は、前記第２の光情報記録媒体の情報記録層において、前記複数の仮想情報光が照射される複数の照射領域に対して照射されることを特徴とする請求項１９に記載の光情報記録方法。
【請求項２１】
前記仮想再生用参照光は、前記第１の光情報記録媒体の情報記録層の全面に対して照射することを特徴とする請求項１９に記載の光情報記録方法。
【請求項２２】
前記第２の仮想記録用参照光は、前記第２の光情報記録媒体の全面に対して照射されることを特徴とする請求項２１に記載の光情報記録方法。
【請求項２３】
前記仮想再生用参照光は、前記第１の仮想記録参照光と位相共役であることを特徴とする請求項１８乃至２２のいずれか１項に記載の光情報記録方法。
【請求項２４】
前記仮想再生用参照光は、前記第１の光情報記録媒体に対して、前記第１の仮想記録参照光の照射方向と正反対の向きに照射されることを特徴とする請求項１８乃至２２のいずれか１項に記載の光情報記録方法。
【請求項２５】
前記第１の光情報記録媒体の情報記録層より発生される前記仮想情報光を倍率を変更して前記第２の光情報記録媒体に照射することを特徴とする請求項１８乃至２４のいずれか１項に記載の光情報記録方法。
【請求項２６】
前記第１の光情報記録媒体の情報記録層より発生される前記仮想情報光を第１の焦点距離を有する第１のレンズと第２の焦点距離を有する第２のレンズを介在させて前記第２の光情報記録媒体に照射することを特徴とする請求項１８乃至２４のいずれか１項に記載の光情報記録方法。
【請求項２７】
前記第２の仮想記録用参照光は、空間的に変調されていることを特徴とする請求項１８乃至２６のいずれか１項に記載の光情報記録方法。
【請求項２８】
ホログラフィを利用して情報光と記録用参照光とからなる仮想情報光と仮想記録用参照光との干渉による干渉パターンによって情報が記録されていると共に、前記仮想記録用参照光が照射されたときに、記録されている前記仮想情報光を発生する情報記録層を備えたことを特徴とする光情報記録媒体。
【請求項２９】
前記仮想情報光と前記仮想記録用参照光との干渉による干渉パターンは、前記情報記録層の複数の領域に記録され、前記複数の領域に同一の前記仮想再生用参照光が照射されると、前記複数の領域から前記仮想情報光を発生することを特徴とする請求項２８に記載の光情報記録媒体。
【発明の詳細な説明】
【技術分野】
【０００１】  本発明は、空間的に変調することで情報を担持した情報光と記録用参照光とを光記録媒体に照射して、光記録媒体の情報記録層において干渉させ、当該干渉パターンによって情報を記録する光情報記録方法および光情報記録媒体に関する。
【背景技術】
【０００２】  ホログラフィを利用して記録媒体に情報を記録するホログラフィック記録は、一般的に、イメージ情報を持った情報光と参照光とを記録媒体の内部で重ね合わせ、そのときにできる干渉縞パターンを記録媒体に書き込むことによって行われる。記録された情報の再生時には、その記録媒体に参照光を照射することにより、干渉縞パターンによる回折によりイメージ情報が再生される。【０００３】  近年、ホログラフィック記録において、超高密度のデータ密度とするために、ボリュームホログラフィ、特にデジタルボリュームホログラフィが実用域で開発され注目を集めている。ボリュームホログラフィとは、記録媒体の厚み方向も積極的に活用して、３次元的に干渉縞を書き込む方式であり、デジタルボリュームホログラフィとは、ボリュームホログラフィと同様の記録媒体と記録方式を用いつつも、記録するイメージ情報は２値化したデジタルパターンに限定した、コンピュータ指向のホログラフィック記録方式である。このデジタルボリュームホログラフィにおいては、例えばアナログ的な絵のような画像情報も、一旦デジタル化して、２次元デジタルパターン情報に展開し、これをイメージ情報として記録する。再生時は、このデジタルパターン情報を読み出してデコードすることで、元の画像情報に戻して表示する。これにより、再生時にＳＮ比（信号対雑音比）が多少悪くても、微分検出を行ったり、２値化データをコード化しエラー訂正を行ったりすることで、極めて忠実に元の情報を再現することが可能になる。【０００４】  ボリュームホログラフィによるホログラム記録層への記録の一例は、記録すべき情報を担持する情報光と記録用参照光とがホログラム記録層内において厚み方向の干渉縞を生じるように透明基板側から同時に所定時間照射し、ホログラム記録層内に干渉縞パターンを立体的に定着せしめることによって情報を立体的なホログラムとして記録している（特許文献１および特許文献２）。【０００５】  また、光情報記録方法としては、情報光と記録用参照光とを異なる角度の光軸上に配置して記録する方法と、同軸上に配置して記録する方法がある。【０００６】  前記のようなボリュームホログラフィにより適しているものとして情報光と記録用参照光とを同軸上に配置した記録方法が注目されている（たとえば、特許文献３参照）。【０００７】
【特許文献１】特開平１１−３１１９３８号公報
【特許文献２】特開２００３−９９９５２号公報
【特許文献３】特開平１０−１２４８７２号公報
【特許文献４】米国特許第５６３８１９３号公報
【発明の開示】
【発明が解決しようとする課題】
【０００８】  しかしながら、前記特許文献３に記載するような情報光と記録用参照光とを同軸上に配置した記録方法においては、一旦記録した光記録媒体からの記録情報の複製が非常に困難であるという問題点があった。【０００９】  現在普及しているＣＤやＤＶＤでは、記録したい情報を凹凸ピットとして形成した原盤となるマスターを作製し、マスターを用いたプラスチック射出成形技術（インジェクションモールディング）によって転写することで、一回の処理で複製することが可能であった。このため、ＣＤやＤＶＤは、大量生産することができ、世界中で普及しているのである。【００１０】  他方、ホログラフィック記録は、干渉縞を記録するものであるから、プラスチック射出成形技術等によって成形することができるものではなかった。従来、ｍ個の情報（ホログラム）を光記録媒体に記録する場合、情報光の持つイメージ情報をｍ回変更し、その都度、情報光と記録用参照光を照射して光記録媒体中で重ね合わせて情報（ホログラム）を記録しなければならなかった。そして、同じ情報を記録した光記録媒体を複製したい時も、またｍ回情報光と記録用参照光を照射して記録する必要があったのである。このため、ホログラフィック記録した光記録媒体は、大量生産には適していないものであった。【００１１】  また、ボリュームホログラフィを行う多重記録の方式として、水平方向に照射位置の一部を重ねてずらすシフト多重記録方式と、情報光または／および記録用参照光の記録媒体への入射角度を変化させる角度多重記録方式などがあるが、それぞれ次のような問題点があった。【００１２】  従来の角度多重記録方式においては、同じ照射領域中に入射角度を変えて複数回レーザービームを照射するため、レーザービームの強度も角度に合わせて毎回調節しなければならなかった。たとえば、多重度がｍで、照射領域数がｎの場合、ｍ×ｎ回のレーザービームの強度と入射角の調節が必要であった。また、記録媒体のホログラム記録層に書き込まれた干渉縞を安定化させるために時間が必要な場合は、連続して照射できず、書き込み時間が長くなっていた。更に、従来の角度多重記録方式は、情報を書き込む際に光記録媒体を停止させて一つの照射領域に複数の情報を書き込み、その照射領域への書き込みが終了すると光記録媒体を移動もしくは回転させていたため、移動もしくは回転の停止と始動に時間がかかり、転送レートの低下に繋がっていた。【００１３】  従来のシフト多重記録方式では、たとえば周方向への多重度がｍで、半径方向の列の数がｎの場合、周方向への多重記録においては、最初のｍ回は照射領域の重なり具合が異なるが、その後の照射領域では重なり具合は同程度であるから、最初のｍ回だけレーザービームの強度を調節すれば良かった。しかし、半径方向に次の列に移動すると、再び最初のｍ回はレーザービームの強度を調節する必要があるので、結局、ｍ×ｎ回のレーザービームの強度の調節が必要であった。また、従来のシフト多重記録方式では、記録を安定化させるために時間が必要なホログラム記録層に対しては、連続的に情報を書き込むことができず、書き込み時間が長くなっていた。【００１４】  また、他の多重記録方式として、特許文献４は、情報光を軸として参照光を回転させて、参照光の方位を変化させて、同一箇所に複数の情報を記録する方式を提案している。【００１５】  多重記録方式を用いて情報が記録された光記録媒体は、記録情報を重ねて記録することができるので、記録密度を著しく増やすことができるが、その分、情報光と参照光の照射回数も増えるし、上述したとおりレーザービームの強度調節を行なうため、作製に時間がかかり、それを大量生産することは非常に難しかったのである。【００１６】  本発明はこれらの点に鑑みてなされたものであり、情報光と記録用参照光とを同軸上に配置したホログラフィック記録において、一旦記録した光記録媒体からの記録情報の複製をきわめて容易に行うことができ、しかも複製をする場合のキーを備えていて違法な複製を排除することができ、安全性が高く、更に、簡単な制御で、高密度で正確な記録ができ、且つ連続的に情報を記録することができる光情報記録方法および光情報記録媒体を提供することを目的とする。【００１７】  更に、本発明は、情報を記録した光記録媒体を大量に生産するための光情報記録方法および光情報記録媒体を提供することを目的とする。
【課題を解決するための手段】
【００１８】  前記目的を達成するために本発明の光情報記録方法は、ホログラフィを利用して情報が記録される情報記録層を備えた光情報記録媒体に対して情報を記録するための光情報記録方法であって、光源から出射された光束の少なくとも一部を空間的に変調することで情報を担持した情報光と記録用参照光とからなる仮想情報光を生成し、前記情報記録層に前記仮想情報光と仮想記録用参照光との干渉による干渉パターンによって情報が記録されるように、前記仮想情報光および前記仮想記録用参照光を前記情報記録層に対して照射することを特徴とする。【００１９】  更に、本発明の光情報記録方法において、前記情報記録層の複数の領域に対して、前記仮想記録用参照光が同じ条件となるように前記仮想情報光と前記仮想記録用参照光との干渉による干渉パターンを記録することが好ましい。【００２０】  更に、本発明の光情報記録方法において、前記複数の領域は互いに重畳しないことが好ましい。【００２１】  更に、本発明の光情報記録方法において、前記仮想情報光および前記仮想記録用参照光は、前記光情報記録媒体を回転させながら、前記仮想情報光を中心として前記仮想記録用参照光を前記光情報記録媒体と同じ角速度および回転方向で回転させつつ前記複数の領域に対して照射されてもよい。【００２２】  このような構成を採用したことにより、情報光と記録用参照光とを同軸上に配置した記録方法を利用して仮想情報光を発生し、当該仮想情報光と仮想記録用参照光とを用いて干渉パターンを光情報記録媒体の情報記録層に記録させることができる。このようにして記録された光情報記録媒体は、仮想情報光の情報を複製するためのマスターとして利用することができる。マスターとしての光情報記録媒体に記録された情報を複製するためには、仮想記録用参照光を照射する必要があるので、当該仮想記録用参照光が複製のためのキーとして作用し、仮想記録用参照光の秘密を保持することにより、違法な複製を排除することができ、安全性が高いものとなる。【００２３】  更に、複数の領域に対して、仮想記録用参照光が同じ条件となるように仮想情報光と仮想記録用参照光との干渉による干渉パターンが記録されていれば、再生する際に、複数の領域から一度に仮想情報光を再生することができ、生産性が著しく向上する。この際、複数の領域が互いに重畳していない場合は、複数の領域から一度に再生された仮想情報光の情報光及び記録用参照光同士の相互干渉を防ぐことができるので好ましい。【００２４】  また、本発明の光情報記録方法は、空間的に変調することで情報を担持した情報光と記録用参照光とからなる仮想情報光と仮想記録用参照光とをホログラフィを利用して情報が記録される情報記録層を備えた光記録媒体に照射し、照射領域における前記仮想情報光と前記仮想記録用参照光との干渉パターンを情報として記録する光情報記録方法であって、第１の条件で前記仮想情報光および前記仮想記録用参照光を前記光記録媒体の複数箇所に照射して複数の第１の照射領域を形成して第１の情報群を記録し、第２の条件で前記仮想情報光および前記仮想記録用参照光を前記光記録媒体の複数箇所に前記第１の照射領域と重畳するように照射して複数の第２の照射領域を形成して���２の情報群を記録することを特徴とする。【００２５】  更に、本発明の光情報記録方法において、前記複数の第１の照射領域は互いに重畳しないことが好ましい。【００２６】  更に、本発明の光情報記録方法において、前記情報光の光軸と前記記録用参照光の光軸が、同一線上であることが好ましい。【００２７】  更に、本発明の光情報記録方法において、前記仮想記録用参照光は、平行光であることが好ましい。【００２８】  このような構成を採用したことにより、前記の作用を有するとともに、同じ状態の複数の第１の照射領域に第１の条件で第１の情報群を記録し、次に、第１の照射領域と重畳する第２の照射領域に第２の条件で第２の情報群を記録していくので、多重度がｍの多重記録をするために、照射条件をｍ回調節するだけで良いのである。しかも、第１の情報群を書き終わるまでの時間を個々の第１の照射領域における光化学反応のための時間とすることができるので、連続して多重記録方式を実行することができる。これにより超高密度に情報を記録したマスターとしての光情報記録媒体を得ることができる。本発明のように面単位で同じ条件での記録と再生を行う多重記録方式を面多重記録方式と名付けるが、これはシフト多重記録方式にも、角度多重記録方式にも適用できることが特徴である。【００２９】  更に、複数の第１の照射領域が互いに重畳しなければ、複数の第１の照射領域から一度に再生された仮想情報光の情報光及び記録用参照光同士の相互干渉を防ぐことができるので好ましい。【００３０】  更に、情報光の光軸と記録用参照光の光軸が、同一線上であれば、仮想情報光を再生して他の光情報記録媒体に照射するのに、単純な光学系を利用することができ好適である。【００３１】  更に、仮想記録用参照光として平行光を使用すると、仮想再生用参照光を複数の領域に対して同じ波面を持たせて照射することができ、複数の領域において干渉パターンと干渉し、記録された仮想情報光を再生することができるので好ましい。【００３２】  また、本発明の光情報記録方法は、空間的に変調することで情報を担持した情報光と記録用参照光とからなる仮想情報光と仮想記録用参照光とをホログラフィを利用して情報が記録される情報記録層を備えた第１の光情報記録媒体に照射し、照射領域における前記仮想情報光と前記仮想記録用参照光との干渉パターンを情報として記録された前記第１の光情報記録媒体における記録された情報を第２の光情報記録媒体に記録させる光情報記録方法であって、前記第１の光情報記録媒体に対して前記仮想記録参照光と同じ条件の仮想再生用参照光を照射し、前記仮想再生用参照光が照射されることによって前記情報記録層より発生される前記仮想情報光を前記第２の光情報記録媒体に照射し、前記仮想情報光の情報光と記録用参照光との干渉パターンを前記第２の光情報記録媒体の情報記録層に記録することを特徴とする。【００３３】  更に、本発明の光情報記録方法において、前記仮想再生用参照光は、前記第１の光情報記録媒体の情報記録層の複数の前記照射領域に対して照射され、前記複数の照射領域から、複数の前記仮想情報光が一度に再生されることが好ましく、特に前記第１の光情報記録媒体の情報記録層の全面に対して照射する���とが好ましい。【００３４】  更に、本発明の光情報記録方法において、前記仮想再生用参照光は、前記仮想記録参照光と位相共役であること又は前記第１の光情報記録媒体に対して、前記仮想記録参照光の照射方向と正反対の向きに照射されることが好ましい。【００３５】  更に、本発明の光情報記録方法において、前記第１の光情報記録媒体の情報記録層より発生される前記仮想情報光を倍率を変更して前記第２の光情報記録媒体に照射すること又は第１の焦点距離を有する第１のレンズと第２の焦点距離を有する第２のレンズを介在させて前記第２の光情報記録媒体に照射することが好ましい。【００３６】  更に、本発明の光情報記録方法において、前記第１の光情報記録媒体の方が前記第２の光情報記録媒体よりも大きいことが好ましい。【００３７】  このような構成を採用したことにより、前記のようにして作製されたマスターとしての光情報記録媒体から情報光と記録用参照光とを同軸上に配置した仮想情報光を再生させるとともに他の光情報記録媒体に記録させることができ、情報光と記録用参照光とを同軸上に配置した記録方法を利用して記録される光情報記録媒体を簡単に複製することができる。この複製の時には、記録時に用いた仮想記録用参照光を照射する必要があるので、当該仮想記録用参照光が複製のためのキーとして作用し、仮想記録用参照光の秘密を保持することにより、違法な複製を排除することができ、安全性が高いものとなる。更に、複製された光情報記録媒体は仮想情報光の一部として用いた記録用参照光と同一の再生用参照光を照射することにより、記録されている情報を簡単かつ確実に再生することができる。【００３８】  更に、仮想再生用参照光を第１の光情報記録媒体の情報記録層の複数の照射領域に対して照射して、複数の照射領域から、複数の仮想情報光を一度に再生させれば、複製の時間を劇的に短縮することができ、生産性を著しく向上することができる。特に、第１の光情報記録媒体の情報記録層の全面に対して照射すれば、より生産性が向上する。【００３９】  更に、仮想記録参照光と位相共役な仮想再生用参照光が第１の光情報記録媒体に対して照射されると、再生した仮想情報光が記録時とは逆の経路で再生されるので、記録時に加えられた光学系、光情報記録媒体の表面形状の歪み、情報記録層の膜厚ムラ等による収差を相殺することができ、より収差を少なくすることができるので好ましい。仮想再生用参照光を仮想記録参照光の照射方向と正反対の向きに照射すると、位相共役となる。【００４０】  更に、第１の光情報記録媒体の情報記録層より発生される仮想情報光を倍率を変更して第２の光情報記録媒体に照射することにより、第１の光情報記録媒体の情報記録層に照射する仮想情報光、仮想記録用参照光及び仮想再生用参照光の光源の波長と、第２の光情報記録媒体に記録された情報光を再生するための再生用参照光の光源の波長を変えることができる。第１の光情報記録媒体の情報記録層より発生される仮想情報光を第１の焦点距離を有する第１のレンズと第２の焦点距離を有する第２のレンズを介在させて第２の光情報記録媒体に照射することによっても、第１の光情報記録媒体の情報記録層に照射する仮想情報光、仮想記録用参照光及��仮想再生用参照光の光源の波長と、第２の光情報記録媒体に記録された情報光を再生するための再生用参照光の光源の波長を変えることができる。【００４１】  更に、第１の光情報記録媒体として、第２の光情報記録媒体に比べて大きくすれば、より精密な干渉パターンを精細に記録することができる。【００４２】  また、本発明の光情報記録方法は、空間的に変調することで情報を担持した情報光と記録用参照光とからなる仮想情報光と第１の仮想記録用参照光とをホログラフィを利用して情報が記録される情報記録層を備えた第１の光情報記録媒体に照射し、照射領域における前記仮想情報光と前記第１の仮想記録用参照光との干渉パターンを情報として記録された前記第１の光情報記録媒体における記録された情報を第２の光情報記録媒体に記録させる光情報記録方法であって、前記第１の光情報記録媒体に対して前記第１の仮想記録参照光と同じ条件の仮想再生用参照光を照射し、前記仮想再生用参照光が照射されることによって前記情報記録層より発生される前記仮想情報光を前記第２の光情報記録媒体に照射し、且つ前記第２の光情報記録媒体に対し第２の仮想記録用参照光を照射し、前記仮想情報光と前記第２の記録用参照光との干渉パターンを前記第２の光情報記録媒体の情報記録層に記録することを特徴とする。【００４３】  更に、本発明の光情報記録方法において、前記仮想再生用参照光は、前記第１の光情報記録媒体の情報記録層の複数の前記照射領域に対して照射され、前記複数の照射領域から、複数の前記仮想情報光が一度に再生されることが好ましく、特に、前記第１の光情報記録媒体の情報記録層の全面に対して照射することが好ましい。【００４４】  更に、本発明の光情報記録方法において、前記第２の仮想記録用参照光は、前記第２の光情報記録媒体の情報記録層において、前記複数の仮想情報光が照射される複数の照射領域に対して照射されることが好ましく、特に、前記第２の光情報記録媒体の情報記録層の全面に対して照射されることが好ましい。【００４５】  更に、本発明の光情報記録方法において、前記仮想再生用参照光は、前記第１の仮想記録参照光と位相共役であること又は前記第１の光情報記録媒体に対して、前記第１の仮想記録参照光の照射方向と正反対の向きに照射されることが好ましい。【００４６】  更に、本発明の光情報記録方法において、前記第１の光情報記録媒体の情報記録層より発生される前記仮想情報光を倍率を変更して前記第２の光情報記録媒体に照射すること又は前記第１の光情報記録媒体の情報記録層より発生される前記仮想情報光を第１の焦点距離を有する第１のレンズと第２の焦点距離を有する第２のレンズを介在させて前記第２の光情報記録媒体に照射することが好ましい。【００４７】  更に、本発明の光情報記録方法において、前記第２の仮想記録用参照光は、空間的に変調されていることが好ましい。【００４８】  このような構成を採用したことにより、前記のようにして作製されたマスターとしての光情報記録媒体から仮想情報光を再生させるとともに、仮想情報光と第２の仮想再生用参照光を第２の光情報記録媒体に照射して、その干渉パターンを記録させることができ、マザーとしての光情報記録媒体を簡単に複製すること���できる。この複製の時には、記録時に用いた第１の仮想記録用参照光を照射する必要があるので、当該仮想記録用参照光が複製のためのキーとして作用し、第１の仮想記録用参照光の秘密を保持することにより、違法な複製を排除することができ、安全性が高いものとなる。更に、複製されたマザーとしての光情報記録媒体も第２の仮想記録用参照光が複製のためのキーとして作用し、第２の仮想記録用参照光の秘密を保持することにより、違法な複製を排除することができ、安全性が高いものとなる。そして、マザーを簡単に作製できるので、スレーブを大量生産することが容易になる。【００４９】  更に、第１の仮想再生用参照光を第１の光情報記録媒体の情報記録層の複数の照射領域に対して照射して、複数の照射領域から、複数の仮想情報光を一度に再生させれば、複製の時間を劇的に短縮することができ、生産性を著しく向上することができる。特に、第１の光情報記録媒体の情報記録層の全面に対して照射すれば、より生産性が向上する。【００５０】  更に、第２の仮想記録用参照光を第２の光情報記録媒体の情報記録層において、前記複数の仮想情報光が照射される複数の照射領域に対して照射させれば、一度に記録することができるので、複製の時間を劇的に短縮することができ、生産性を著しく向上することができる。特に、第２の光情報記録媒体の情報記録層の全面に対して照射させれば、より生産性が向上する。【００５１】  更に、仮想記録参照光と位相共役な仮想再生用参照光が第１の光情報記録媒体に対して照射されると、再生した仮想情報光が記録時とは逆の経路で再生されるので、記録時に加えられた光学系、光情報記録媒体の表面形状の歪み、情報記録層の膜厚ムラ等による収差を相殺することができ、より収差を少なくすることができるので好ましい。仮想再生用参照光を第１の仮想記録参照光の照射方向と正反対の向きに照射すると、位相共役となる。【００５２】  更に、第１の光情報記録媒体の情報記録層より発生される仮想情報光を倍率を変更して第２の光情報記録媒体に照射することにより、第１の光情報記録媒体の情報記録層に照射する仮想情報光、仮想記録用参照光及び仮想再生用参照光の光源の波長と、第２の光情報記録媒体に記録された情報光を再生するための再生用参照光の光源の波長を変えることができる。第１の光情報記録媒体の情報記録層より発生される仮想情報光を第１の焦点距離を有する第１のレンズと第２の焦点距離を有する第２のレンズを介在させて第２の光情報記録媒体に照射することによっても、第１の光情報記録媒体の情報記録層に照射する仮想情報光、仮想記録用参照光及び仮想再生用参照光の光源の波長と、第２の光情報記録媒体に記録された情報光を再生するための再生用参照光の光源の波長を変えることができる。【００５３】  更に、第２の仮想記録用参照光を空間的に変調することにより、空間変調パターンを知らないと第２の光情報記録媒体から複製することができないので、違法な複製を排除することができ、安全性が高いものとなる。【００５４】  また、本発明の光情報記録媒体は、ホログラフィを利用して情報光と記録用参照光とからなる仮想情報光と仮想記録用参照光との干渉による干渉パターンによって情報が記録され���いると共に、前記仮想記録用参照光が照射されたときに、記録されている前記仮想情報光を発生する情報記録層を備えたことを特徴とする。【００５５】  更に、本発明の光情報記録媒体において、前記仮想情報光と前記仮想記録用参照光との干渉による干渉パターンは、前記情報記録層の複数の領域に記録され、前記複数の領域に同一の前記仮想再生用参照光が照射されると、前記複数の領域から前記仮想情報光を発生することが好ましい。【００５６】  このような構成を採用したことにより、本発明によって得られる光情報記録媒体はマスターとして利用することができる。マスターとしての光情報記録媒体に記録された情報を複製するためには、仮想記録用参照光を照射する必要があるので、当該仮想記録用参照光が複製のためのキーとして作用し、仮想記録用参照光の秘密を保持することにより、違法な複製を排除することができ、安全性が高いものとなる。【００５７】  更に、仮想情報光と仮想記録用参照光との干渉による干渉パターンが情報記録層の複数の領域に記録され、複数の領域に同一の前記仮想再生用参照光が照射されると、複数の領域から仮想情報光を発生することができると、一度に複数の情報の複製をすることができ生産性を向上することができる。
【発明の効果】
【００５８】  本発明の光情報記録方法および光情報記録媒体はこのように構成され作用するものであるから、情報光と記録用参照光とを同軸上に配置したホログラフィック記録において、一旦記録した光記録媒体からの記録情報の複製を際めて容易に行うことができ、しかも複製をする場合のキーを備えていて違法な複製を排除することができ、安全性が高く、更に、簡単な制御で、高密度で正確な記録ができ、且つ連続的に情報を記録することができる等の効果を奏する。
【図面の簡単な説明】
【００５９】
【図１】本発明の光情報記録方法および光情報記録媒体の１実施形態を示し、（ａ）は空間変調手段の平面図、（ｂ）は記録部分の正面図
【図２】光情報記録媒体に対する多重記録方法を示す図１（ｂ）と同様の正面図
【図３】（ａ）（ｂ）は光情報記録媒体に対する多重記録方法の他の方法を示す図２と同様の正面図
【図４】光情報記録媒体に対する多重記録方法の他の方法を示す斜視図
【図５】光情報記録媒体に対する多重記録方法の他の方法を示す図１（ａ）と同様の図
【図６】本発明の光情報記録方法および光情報記録媒体の他の実施形態を示す正面図
【図７】本発明方法によって複製された光情報記録媒体の情報再生方法を示す正面図
【図８】（ａ）〜（ｄ）は回転する光情報記録媒体における仮想記録用参照光の向きを説明する図
【図９】（ａ）〜（ｄ）は回転する光情報記録媒体における仮想記録用参照光の向きを説明する図
【図１０】本発明の光情報記録方法および光情報記録媒体の他の実施形態を示す正面図
【図１１】（ａ）は本発明の光情報記録方法および光情報記録媒体の他の実施形態を示す正面図、（ｂ）は光情報記録媒体４を再生した時の情報光の画素ピッチを示す図、（ｃ）は光情報記録媒体９を再生した時の情報光の画素ピッチを示す図
【図１２】本発明の光情報記録方法および光情報記録媒体の他の実施形態を示す正面図
【図１３】（ａ）及び（ｂ）は本発明の光情報記録方法および光情報記録媒体の他の実施形態を示す正面図
【発明を実施するための最良の形態】
【００６０】  以下、本発明の実施の形態を図１〜図１１について説明する。【００６１】  図１は本発明の光情報記録方法および光情報記録媒体の一実施形態を示す。【００６２】  本実施形態は情報光と記録用参照光とを同軸上に配置した記録方法を利用している。図１（ａ）（ｂ）に示すように、本実施形態においては、公知の方法により光源（図示せず）から出射された光束の少なくとも一部を空間変調手段１によって空間的に変調することにより情報を担持した情報光２と記録用参照光３とに分割する。本実施例においては、情報光２が中心部で、記録用参照光３がその外周部で光軸Ｌと同軸に配置されている。この空間変調手段１とホログラフィを利用して情報が記録される情報記録層を備えた公知の光透過性を有する光情報記録媒体４との間には対物レンズ５が配置されている。空間変調手段１の部分を通過した情報光２と記録用参照光３とは両者を合わせて仮想情報光６として進行し、対物レンズ５によって光情報記録媒体４の情報記録層の所定の照射領域７（４点ａｂｃｄに囲まれた部分）に照射される。この照射領域７には光軸Ｌに対して傾斜した角度から仮想記録用参照光８が照射される。これにより光情報記録媒体４の情報記録層の照射領域７において、仮想情報光６と仮想記録用参照光８との干渉による干渉パターンによって情報が記録される。【００６３】  図１においては、仮想情報光６の情報光２と記録用参照光３は、一つの空間変調手段１によって変調されており、情報光２の光軸と記録用参照光３の光軸が同一線上に配置されているが、この構成に限定されるものではない。仮想情報光６として、情報光２と記録用参照光３を一旦分割し、それぞれ別々の空間変調手段を用いて変調した後に、情報光２と記録用参照光３を合成して、情報光２の光軸と記録用参照光３の光軸を同一線上に配置してもよい。【００６４】  このように、仮想情報光６の情報光２の光軸と記録用参照光３の光軸が同一線上に配置されているため、後述する仮想情報光６を再生して他の光情報記録媒体に情報を複製する時に、光学系を単純にすることができる。【００６５】  また、仮想記録用参照光８としては、図１に示すように平行光を用いると、後述するように、再生する時に、複数の照射領域７に仮想再生用参照光を一括して照射することができるので好ましい。但し、仮想記録用参照光８としてレンズを用いて情報記録層中に集光する構成としてもよい。【００６６】  このようにして仮想情報光６と仮想記録用参照光８とを用いて干渉パターンを情報記録層に記録された光情報記録媒体４は、その後の複製用のマスターとして利用することができる。このマスターとしての光情報記録媒体４に記録された情報を複製するためには、仮想記録用参照光８と同一の仮想再生用参照光を照射する必要があるので、当該仮想記録用参照光８が複製のためのキーとして作用し、仮想記録用参照光８の特性の秘密を保持することにより、違法な複製を排除することができ、安全性が高いものとなる。【００６７】  光情報記録媒体４の利用方法として、第一に、光情報記録媒体４と全く同じ情報を複製するため、仮想情報光６と仮想記録用参照光８との干渉による干渉パターンそのものを別の光情報記録媒体に記録し、又は��情報記録媒体４に記録された仮想情報光６を複製するため、仮想情報光６と他の仮想記録用参照光８との干渉による干渉パターンを別の光情報記録媒体に記録し、別の光情報記録媒体をマザーとする方法がある。第二に、仮想情報光６の情報光２に担持された情報を複製するため、情報光２及び記録用参照光３との干渉による干渉パターンを別の光情報記録媒体に記録して、別の光情報記録媒体をスレーブとする方法がある。【００６８】  ここで、マスターとは、原盤を意味し、以後の複製の基礎となるものであり、仮想情報光６と仮想記録用参照光８とを照射することによって作製される。そして、マザーとは、マスターと全く同じ仮想情報光が記録されたものであるが、量産その他の目的で、スレーブを作製するための仮想情報光を複製する必要が生じた場合に、マスター若しくは他のマザーを基にして作製されるものである。マザーは、マスターと全く同じ仮想情報光が記録されているので、他のマザー及びスレーブを作製することができる。なお、マザーには、マスターと全く同じ情報（同じ仮想情報光及び同じ仮想記録用参照光による干渉パターン）が記録されたものも含まれる。また、スレーブとは、仮想情報光中の情報光２と記録用参照光３との干渉による干渉パターンが記録されており、スレーブを再生用参照光（記録用参照光３と同じ条件の光）によって再生すれば情報光２に担持された情報を読み出すことができる。【００６９】  マスターとして光情報記録媒体４を使用するためには、情報記録層の複数の照射領域７に対して、仮想記録用参照光８が同じ条件となるように仮想情報光と仮想記録用参照光との干渉による干渉パターンを記録することが好ましい。この場合、光情報記録媒体４の複数の照射領域７に、仮想記録用参照光８と同一の仮想再生用参照光を一括して照射すれば、光情報記録媒体４の複数の照射領域７から一度に仮想情報光６が再生され、それを別の光情報記録媒体に一度に記録することができる。特に、光情報記録媒体４の全面に対して、一括して仮想再生用参照光を照射することで、別の光情報記録媒体の全面に一度に記録できるようにすることが好ましい。【００７０】  更に、複数の照射領域７は互いに重畳していないことが好ましい。これは、複数の照射領域７が重畳した状態で同一の仮想記録用参照光８を用いて再生すると、複数の照射領域７から再生された仮想情報光６同士の干渉が問題となる虞があるからである。つまり、第１の照射領域７ａから再生された第１の仮想情報光６の情報光２及び記録用参照光３が、第２の照射領域７ｂから再生された第２の仮想情報光６の情報光２及び記録用参照光３と干渉するため、正確に第１の仮想情報光６の情報光２及び記録用参照光３の干渉を記録することができなくなってしまうからである。【００７１】  以上のように、同一の仮想再生用参照光によって再生するためには、複数の照射領域７において、仮想記録用参照光８の波長、向き、傾き、位相を同じ条件にして仮想情報光６と干渉させればよい。【００７２】  その方法の一つとしては、光情報記録媒体４をＸ−Ｙステージに載置して、Ｘ−Ｙステージを制御して、所望の干渉縞が各照射領域７に記録されるように光情報記録媒体４を搬送する方法がある。また、他���方法としては、光情報記録媒体４を固定して、仮想情報光６及び仮想記録用参照光８をＸ−Ｙ方向に移動させる方法もある。更に、光情報記録媒体４を固定して、仮想記録用参照光８を全面に照射しつつ、仮想情報光６をＸ−Ｙ方向に移動させる方法もある。【００７３】  また、光情報記録媒体４として円盤状のものを使用する場合は、光情報記録媒体４を回転させながら記録する態様があり得る。光情報記録媒体４を回転させながら情報を記録すると、トラックに沿って各情報を記録することが容易になるという利点がある。この場合は、仮想記録用参照光８の波長、向き、傾き及び位相を同じ条件にしようとすると、仮想記録用参照光８の向きが光情報記録媒体４の回転によって変わるので問題となる。【００７４】  この点について、図８及び図９を用いて説明する。図８及び図９は、光情報記録媒体４の平面図であり、光情報記録媒体４は中心４ａを軸として回転している。図８及び図９において、記録した時の仮想記録用参照光８の方向を仮想情報光６の照射領域中に矢印で示す。まず、図８（ａ）に示すように、第１の照射領域７ａに右側から仮想記録用参照光８を照射して干渉縞を記録した。次に、図８（ｂ）に示すように、光情報記録媒体４を９０°時計回りに回転して第２の照射領域７ｂに右側から仮想記録用参照光８を照射して干渉縞を記録した。更に、図８（ｃ）に示すように、光情報記録媒体４を９０°時計回りに回転して第３の照射領域７ｃに右側から仮想記録用参照光８を照射して干渉縞を記録した。最後に、図８（ｄ）に示すように、光情報記録媒体４を９０°時計回りに回転して第４の照射領域７ｄに右側から仮想記録用参照光８を照射して干渉縞を記録した。【００７５】  図８（ｄ）から明らかなように、第１乃至第４の照射領域７ａ〜ｄは、いずれも照射位置において右側から照射したが、光情報記録媒体４の回転によって、仮想記録用参照光８の方向が中心４ａを軸として点対称なものとなってしまう。このため、右側から同一の仮想再生用参照光を照射しても、第１乃至第４の照射領域７ａ〜ｄのいずれか一つしか再生されず、複数の照射領域７から一度に仮想情報光６を再生することができないのである。【００７６】  このため、複数の照射領域７ａ〜ｄを形成するに際し、仮想記録用参照光８の向きを仮想情報光６を中心として、光情報記録媒体４の回転方向と同じ方向に、光情報記録媒体４と同じ角速度で回転させればよい。図９を用いて説明する。なお、図９は、平面図であるから仮想情報光６は、各照射領域７ａ〜７ｄにおいて紙面に対して垂直に照射される。【００７７】  まず、図９（ａ）に示すように、第１の照射領域７ａに右側から仮想記録用参照光８を照射して干渉縞を記録する。次に、図９（ｂ）に示すように、光情報記録媒体４を９０°時計回りに回転させて、第２の照射領域７ｂに仮想記録用参照光８を照射して干渉縞を記録するが、この時、仮想記録用参照光８の向きも仮想情報光６を中心として９０°時計回りに回転させて仮想記録用参照光８を照射する。つまり、第２の照射領域７ｂには、図９（ｂ）における下側から仮想記録用参照光８が照射される。更に、図９（ｃ）に示すように、光情報記録媒体４を９０°時計回りに回転して、第３の照射領域７ｃに仮想記録用参照光８の向きを仮想情報光６を中心として９０°時計回りに回転した状態で照射して干渉縞を記録する。最後に、図９（ｄ）に示すように、光情報記録媒体４を９０°時計回りに回転して、第４の照射領域７ｄに仮想記録用参照光８の向きを仮想情報光６を中心として９０°時計回りに回転した状態で照射して干渉縞を記録する。【００７８】  図９（ｄ）から明らかなように、第１乃至第４の照射領域７ａ〜ｄは、いずれも仮想記録用参照光８が上側から照射された状態となっており、仮想記録用参照光８の方向が同じである。よって、上側から同一の仮想再生用参照光を照射すれば、第１乃至第４の照射領域７ａ〜ｄから一度に仮想情報光６を再生することができるのである。【００７９】  仮想情報光６を中心として仮想記録用参照光８の向きを回転させるには、仮想記録用参照光８の光学系を回転させればよい。例えば、前述した特許文献４の米国特許第５６３８１９３号公報に開示された装置を応用して実施することができる。特許文献４では、同一箇所に参照光の方位を変化させて多重記録しているが、本発明においては互いに重畳しない複数の照射領域に対して参照光の方位を変化させる点で異なっている。【００８０】  なお、上述したＸ−Ｙステージを利用して光情報記録媒体４を回転させずに仮想情報光６及び仮想記録用参照光８の干渉縞を記録する場合であって、再生する際に、光情報記録媒体４を回転させる或いは光情報記録媒体４をマスターとして複製する際にマザー又はスレーブを回転させる時は、再生時の回転の影響を考慮して記録する必要がある。その一つは、仮想記録用参照光８の向きとして、図９（ｄ）に示すように記録すると、再生時に右側から仮想再生用参照光を照射することによって、各照射領域７ａ〜ｄから仮想情報光６を再生することができる。また、後述する複製方法を利用して光情報記録媒体４からスレーブを複製した場合、スレーブに記録された情報光２及び記録用参照光３の干渉縞に対して、スレーブを回転させつつ再生用参照光を照射して情報光２を再生すると、情報光２が回転した像が再生される。このため、マスターである光情報記録媒体４を記録する際に、情報光２のもつイメージ情報を回転させなければならない。イメージ情報を回転させるには、空間変調手段１に表示される２次元デジタルパターン情報を回転させていてもよいし、情報光の光学系にイメージ情報を回転させる光学素子を追加してもよい。【００８１】  図２〜図５は光情報記録媒体に対する多重記録方法を示す。【００８２】  図２においては、光情報記録媒体４に対する照射領域７ａ、７ｂ、７ｃ、７ｄ・・を一部ずつ重複させるようにして光情報記録媒体４を移動させて順に情報を記録するシフト多重記録方式で多重記録するものである。【００８３】  図３においては、まず図３（ａ）に示すように、第１の条件として仮想記録用参照光８を光軸Ｌに対する傾斜角度をθ１に設定して、光情報記録媒体４に対する照射領域７ａ、７ｂ・・を重複させないように離間させて光情報記録媒体４の全体に記録する。次に、図３（ｂ）に示すように、第２の条件として仮想記録用参照光８を光軸Ｌに対する傾斜角度をθ２に設定して、光情報記録媒体４に対する照射領域７ａ１、７ｂ��・・を互いに重複させないように離間させ、かつ、第１の条件の照射領域７ａ、７ｂ・・と一部重複させて光情報記録媒体４の全体に記録するものである。このθを順に変更して記録することにより多重記録を向上させることができ、超高密度の記録が可能である。【００８４】  面単位で同じ条件での記録と再生を行う面多重記録方式の場合、上述した同一の仮想記録用参照光８によって一度に複数の照射領域から仮想情報光６を再生させる方法を実施できるので好ましい。【００８５】  図３の光情報記録媒体４に対して、光軸Ｌに対する傾斜角度をθ１に設定した仮想再生用参照光を照射すれば、照射領域７ａ、７ｂ・・から仮想情報光６が一度に再生されるのである。更に、光軸Ｌに対する傾斜角度をθ２に設定した仮想再生用参照光を照射すれば、照射領域７ａ１、７ｂ１・・から仮想情報光６が一度に再生されるのである。このように、θを順に変更して再生することにより、多重記録方式で記録された大量の情報を容易に複製することができる。【００８６】  記録のための条件としては、図４に示すように、例えば、同一の照射領域７ａの位置に仮想記録用参照光８の記録条件を変化させた照射領域７ｂ、７ｃ、７ｄ・・を重畳させ、照射領域を移動して異なる照射領域において複数の干渉パターンを仮想記録用参照光８の記録条件を変化させて記録させてもよい。【００８７】  また、記録のための条件としては、図５に示すように、記録用参照光３を光軸Ｌから放射状に延びた線分の集合とし、記録用参照光３の各線分の光軸Ｌに対する周方向の入射角の中心角度αを、例えば、３度を基準として、その中心角度の大きさを、例えば、０．０２度の最小単位で変更させてもよい。つまり、記録用参照光３の線分の一つを基準として、そこから３度おきに線分を１１９本配置した記録用参照光３と、基準となる線分の位置を０．０２度変更し、そこから３度おきに線分を１１９本配置した記録用参照光３とは記録条件が異なるのである。【００８８】  このようにして仮想情報光６と仮想記録用参照光８とを用いて干渉パターンを情報記録層に多重記録された光情報記録媒体４は、超高密度の情報が記録されしかも複製に対する安全性の高い複製用のマスターとして利用することができる。【００８９】  ここに用いた光情報記録媒体４は円盤上のディスク形状や、長方形等のカード形状のもの等から自由に選択するとよい。【００９０】  マスターは、以後の複製の基礎となる原盤であるから、そこに記録される干渉パターンを精細に記録することが好ましい。このため、マスター用の光情報記録媒体４として、スレーブの光情報記録媒体に比べて大きくし、スレーブとの大きさの比率に合わせて、照射領域の大きさ等も大きくすることで精密な干渉パターンを精細に記録することができる。スレーブの光情報記録媒体としては、ＣＤやＤＶＤとの互換性を取れる大きさ、例えば、直径８ｃｍの円盤状とし、マスターとしては、更に大きな光情報記録媒体、例えば、直径１５〜３０ｃｍのものを使用してもよい。ただし、マスターの大きさは、スレーブと同じ大きさでもよい。なお、マザーの光情報記録媒体としては、マスターと同じくスレーブを量産するために使用されるので、マスターと同じ大きさであることが好��しいが、異なる大きさ、例えばスレーブと同じ大きさであってもよい。【００９１】  更に、マスターを記録するための対物レンズ５を含む光学系として、収差が少なく解像度の高いものを使用することが好ましい。かかる光学系としては、非球面レンズを使用したものや複合レンズを使用したもの、更には、後述する半導体チップの投影露光装置として使用される投影レンズを使用することも可能である。【００９２】  図６は本発明の光情報記録方法および光情報記録媒体の他の実施形態を示し、マスターとしての光情報記録媒体４を用いた複製方法を示している。【００９３】  図６においては、図１〜図５によって作製した情報がすでに記録されている光情報記録媒体４に対して情報を複製すべき他の光情報記録媒体９を対向して配置し、両者間には両者の情報記録領域の全体が収まる集光レンズ１０、１１が配置されている。両集光レンズ１０、１１は両者の中央位置がそれぞれの焦点位置でイメージプレーンＰを形成するようにされ、全体を当該イメージプレーンＰを中心として線対称位置に配置されている。他の光情報記録媒体９としては、公知の構成のものから選択するとよい。例えば、情報記録層の裏側にトラック等の表示を示すプリピットを含む層を備えている光情報記録媒体や、複製物をマザーとして利用する場合には、光透過性を有する光情報記録媒体を用いるとよい。【００９４】  次に、本実施形態による複製方法を説明する。【００９５】  まず、情報がすでに記録されているマスターの光情報記録媒体４に対して情報の記録時に照射した仮想記録用参照光を再び同一条件（光軸Ｌとの傾斜角度、光の波長等の条件）で仮想再生用参照光８’として照射する。光情報記録媒体４を仮想再生用参照光８’が通過する際に、情報記録が行われた照射領域７の単位で干渉パターンから記録された仮想情報光６が集光レンズ１０に向けて発生される。仮想再生用参照光８’は、光軸Ｌに対して傾斜しているために、光情報記録媒体４を通過した後は系外に進行して、光情報記録媒体４から発生した仮想情報光６と交叉することを防止されている。【００９６】  図６においては、同一条件の仮想記録用参照光８によって複数の照射領域７が記録されていたため、仮想再生用参照光８’によって光情報記録媒体４の複数の照射領域７全体から仮想情報光６が一斉に再生される。このため、従来、各情報（ホログラム）毎に情報光と記録用参照光を照射していたのに比べて、飛躍的に情報の複製に対する生産性を向上させることができるのである。特に、光情報記録媒体４の全面に対して、一括して仮想再生用参照光を照射することで、別の光情報記録媒体の全面に一度に記録することができ、ＣＤやＤＶＤのプラスチック射出成形技術に匹敵する生産性を実現できる可能性を秘めている。【００９７】  光情報記録媒体４の全体から発生した仮想情報光６は、集光レンズ１０によって一旦イメージプレーンＰに収束され、その後再度拡光されて集光レンズ１１に入射し、その後集光されながら新しい他の光情報記録媒体９に照射され、仮想情報光６を形成する情報光２と記録用参照光３との干渉パターンとして当該他の光記録媒体９の情報記録層に、光情報記録媒体４の照射領域７に対応する大きさの照射領域１２の単位で記録される。【００９８】  図６の光情報記録媒体４が、上記図３において示した角度多重と面多重記録方式を組み合わせていたものである場合は、更に、第２の角度θ２の仮想再生用参照光８’を照射して、複数の照射領域７ａ１、７ｂ１・・・から仮想情報光６を再生して、他の光情報記録媒体９に記録する。【００９９】  なお、図６において照射領域１２に記録された干渉縞は、集光レンズ１１によって一旦集光されて発散した位置に他の光情報記録媒体９を配置しているため、図６における他の光情報記録媒体９の更に下側に情報光２が再生されるものとなっている。このため、図７に示すように、他の光情報記録媒体９をスレーブとして使用する際には、裏返して、反射膜やトラック等の表示を示すプリピットを含む層９ａを装着して再生したり、他の光情報記録媒体９を透過型として利用しなければならなかった。そこで、集光レンズ１１によって仮想情報光が集光される位置（図６における光記録媒体９の表面の位置よりも上方の位置）に他の光情報記録媒体９を配置する方が、スレーブとして複製する場合は、予め反射膜やトラック等の表示を示すプリピットを含む層９ａを装着しておくことができるので好ましい。【０１００】  これにより図１〜図５に示すようにして作製されたマスターとしての光情報記録媒体４から情報光２と記録用参照光３とを同軸上に配置した仮想情報光６を再生させるとともに、他の光情報記録媒体９に記録させることができ、情報光２と記録用参照光３とを同軸上に配置した記録方法を利用して記録される光情報記録媒体９（スレーブ）を簡単に複製することができる。この複製の時には、マスターには記録時に用いた仮想記録用参照光８と同一条件の仮想再生用参照光８’を照射する必要があるので、当該仮想記録用参照光８が複製のためのキーとして作用し、仮想記録用参照光８の秘密を保持することにより、違法な複製を排除することができ、安全性が高いものとなる。更に、複製された光情報記録媒体９は、このような一定角度の仮想記録用参照光８は当てずに作製されるために、複製された光情報記録媒体９から再度複製することは困難である。従って、超高密度の情報を記録した光情報記録媒体の記録情報を、きわめて簡単に、かつ、確実に複製することができ、更に、複製されたものを再度複製することはきわめて困難であるために、情報の記録、複製の革命的な手法となる。【０１０１】  図１０は、マスターとしての光情報記録媒体４を用いた複製方法の変形例である。図１０の光学系自体は、図６のものと同じものであり、集光レンズ１０、１１が、光情報記録媒体４から集光レンズ１０までの距離＝集光レンズ１０からイメージプレーンＰまでの距離＝イメージプレーンＰから集光レンズ１１までの距離＝集光レンズ１０から他の光情報記録媒体９（スレーブ）までの距離＝焦点距離ｆとなるように配置されている。【０１０２】  図１０においては、図１〜図５によって作製した情報がすでに記録されている光情報記録媒体４に対して、仮想記録用参照光８と位相共役な仮想再生用参照光８’を照射する点が特徴である。位相共役な仮想再生用参照光８’とするには、記録時に照射した仮想記録用参照光８を正反対の向きにすればよい。図１０において、光情報記録媒体４を裏返しに配置して、仮想再生用参照光８’を照射している。このように、仮想記録用参照光８と位相共役な仮想再生用参照光８’による再生を「位相共役再生」と呼ぶ。【０１０３】  位相共役再生において、正反対の向きの仮想再生用参照光８’で仮想情報光６を再生すると、再生された仮想情報光６は、記録時とは逆の経路で再生されるので、記録時に加えられた光学系、光情報記録媒体４の表面形状の歪み、情報記録層の膜厚ムラ等による収差を相殺することができ、より収差を少なくすることができるので好ましい。【０１０４】  さらに、図１０においては、他の光情報記録媒体９は、位相共役再生によって再生された仮想情報光６が集光レンズ１１によって集光する位置に情報記録層を配置しているため、他の光情報記録媒体９には予め反射膜やトラック等の表示を示すプリピットを含む層９ａを装着しておくことができる。【０１０５】  図１１は、マスターとしての光情報記録媒体４を用いた複製方法の変形例である。図１１の実施態様は、マスターである光情報記録媒体４に記録、再生する際に用いる光源とは異なる波長の光源で再生可能な複製物を記録する方法を提供するものである。図１１（ａ）は、光情報記録媒体４から複製物を記録するための光学系の概略図であり、図１１（ｂ）は、光情報記録媒体４を再生した時の情報光の画素ピッチを示す図であり、図１１（ｃ）は光情報記録媒体９を再生した時の情報光の画素ピッチを示す図である。【０１０６】  図１１（ａ）においては、異なる焦点距離ｆ１及びｆ２を有する集光レンズ１０，１１を使用し、集光レンズ１０，１１が、光情報記録媒体４から集光レンズ１０までの距離＝集光レンズ１０からイメージプレーンＰまでの距離＝第１の焦点距離ｆ１となり、イメージプレーンＰから集光レンズ１１までの距離＝集光レンズ１０から他の光情報記録媒体９までの距離＝第２の焦点距離ｆ２となるように配置させている。【０１０７】  そして、波長λ１の仮想再生用参照光８’を照射領域７に照射することによって、光情報記録媒体４から波長λ１の仮想情報光６が再生され、焦点距離ｆ１の第１の集光レンズ１０によってイメージプレーンＰに結像する。更に波長λ１の仮想情報光６は、焦点距離ｆ２の第２の集光レンズ１１によって他の光情報記録媒体９に集光され、照射領域１２に仮想情報光６の情報光２及び記録用参照光３の干渉縞が記録されるのであるが、第１の集光レンズ１０と第２の集光レンズ１１の焦点距離ｆ１，ｆ２が異なることによって、他の光情報記録媒体９の照射領域１２に記録される干渉縞の間隔が、光情報記録媒体４の干渉縞の間隔と変わるのである。この結果、他の光情報記録媒体９に記録された干渉縞を再生するには、λ１×（ｆ１／ｆ２）という波長λ２の光源が必要となる。更に、干渉縞の間隔が変わったため、他の光情報記録媒体９から情報光２を再生するための再生用参照光３’を形成する空間変調手段１’の画素ピッチｐ２は、光情報記録媒体４に記録する際に仮想情報光６を形成するための空間変調手段１の画素ピッチｐ１×（λ２／λ１）となる。【０１０８】  従って、集光レンズ１０，１１の焦点距離ｆ１、ｆ２及び画素ピッチｐ１、ｐ２を適宜設定することによって、波長λ１で���録再生した光情報記録媒体４から、波長λ２で再生できる他の光情報記録媒体９を複製することができるのである。その条件は、λ１／λ２＝ｆ２／ｆ１＝ｐ１／ｐ２である。【０１０９】  また、図１１に示す光学系以外であっても、仮想再生用参照光８’によって光情報記録媒体４から再生された像の倍率を光学系によって変更して他の光情報記録媒体９に照射すれば、光情報記録媒体４を記録、再生する光の波長λ１と異なる波長λ２の光によって再生可能な干渉パターンを記録することができる。例えば、ＩＣやＬＳＩなどの半導体チップの微細な電子回路を露光するために使用される投影露光装置の投影レンズを利用してもよい。【０１１０】  更に、マスター用の光情報記録媒体４の大きさが、スレーブの光情報記録媒体９に比べて大きい場合、上記の光学系を用いて、記録する干渉パターンの大きさの比率を小さくすることができる。図１３（ａ）に示すように、第１の光情報記録媒体４の全面に一括して仮想再生用参照光８’を照射して、第１の光情報記録媒体４の全面の照射領域７に記録された干渉パターンから仮想情報光６を再生し、仮想情報光６を３つのレンズを光情報記録媒体８側から徐々に大きさが小さくなるように配置した投影レンズ２０によって所定の比率で縮小されるように、第２の光情報記録媒体９の全面に照射することで、第２の光情報記録媒体９の情報記録層における情報光及び記録用参照光の干渉パターンを記録したスレーブを作製することができる。なお、投影レンズ２０は、図６、図１０及び図１１の集光レンズ１０及び１１を合わせた構成に対応する。【０１１１】  投影露光装置の投影レンズは、微細なパターンを正確に縮小して露光できるように解像度が高く、収差などによる影響を少なくしたものであるから、大きなマスターから、小さなスレーブを作製するのに好適である。【０１１２】  以上のとおり、波長λ１の仮想情報光及び仮想記録用参照光によって作製されたマスターから複製されたスレーブやマザーを異なる波長λ２によって再生することができるのである。かかる技術によって、例えば、波長５３２ｎｍの緑色レーザを用いて作製したマスターやマザーから、波長４０５ｎｍの青色レーザによって再生可能なスレーブを作製することも可能なのである。【０１１３】  光情報記録媒体４をマスターとして使用する場合、上述したとおり、仮想再生用参照光８’を複数の照射領域７、特に好ましくは全面（図１３参照）に照射して一括して再生することが好適である。このような大面積に照射可能な仮想再生用参照光８’の光源が限定されてしまう虞がある。例えば、現状において、波長５３２ｎｍのレーザーであれば、大面積に照射することが可能であるが、半導体レーザーも大型であり、複製物であるスレーブを再生するための装置も大型となってしまう。また、現状において、波長４０５ｎｍの半導体レーザーは小型であるが、出力が小さいため、大面積を照射することができない（なお、大面積に照射できれば光情報記録媒体の全面に照射するための仮想再生用参照光の光源として使用できる。）。そして、ホログラフィック記録再生において、波長５３２ｎｍの光源で記録したホログラムは、そのままでは、波長４０５ｎｍの光源では波面が合わずに再生す���ことができない。【０１１４】  このような場合、λ１／λ２＝５３２ｎｍ／４０５ｎｍ＝１．３であるから、例えば図１１（ａ）において、焦点距離ｆ１＝１の集光レンズ１０に対して、焦点距離ｆ２＝１．３の集光レンズ１１を使用し、光情報記録媒体４には波長λ１＝５３２ｎｍの光源で画素ピッチｐ１＝１．３の空間変調手段を用いて仮想情報光６を記録しておくことで、波長λ２＝４０５ｎｍの光源で再生できる他の光情報記録媒体９を複製することができる。この時、他の光情報記録媒体９を再生するには、画素ピッチｐ２＝１の空間変調手段１’が使用される。【０１１５】  また、図６、図１０及び図１１に示した複製方法において、光情報記録媒体９として光透過性を有する光情報記録媒体を用いるとともに、光情報記録媒体９に第２の仮想記録用参照光（マスターの部分に照射される仮想記録用参照光８と異なるものでもよい）１８を照射して光情報記録媒体９を複製すると、その複製物をマザーとすることができる。図１１に示した複製方法においては、波長λ２の光源で第２の仮想記録用参照光１８を照射する。【０１１６】  図１２に示すように、光情報記録媒体４の照射領域７を記録した第１の仮想記録用参照光と同じ条件の仮想再生用参照光８’を照射し、それにより照射領域７から発生する仮想情報光６を集光レンズ１０，１１を介して第２の光情報記録媒体９に照射し、第２の光情報記録媒体９の照射領域１２に対し第２の仮想記録用参照光１８を照射して、仮想情報光６と第２の記録用参照光１８との干渉パターンを第２の光情報記録媒体９の情報記録層の照射領域１２に記録するのである。【０１１７】  図１２においては、第１の光情報記録媒体４における一つの照射領域７から仮想情報光６を再生して、第２の光情報記録媒体９における一つの照射領域１２に対して複製を行ったが、第１の光情報記録媒体４における複数の照射領域に対して一括して仮想再生用参照光８’を照射して、複数の照射領域から仮想情報光６を再生して、仮想情報光６を第２の光情報記録媒体９の複数の領域に照射し、且つ第２の光情報記録媒体９の複数の領域に対して一括して第２の仮想記録用参照光１８を照射して複数の領域を一括して複製することが好ましい。【０１１８】  更には、図１３（ｂ）に示すように、第１の光情報記録媒体４の全面に一括して仮想再生用参照光８’を照射して、第１の光情報記録媒体４の全面の照射領域７に記録された干渉パターンから仮想情報光６を再生して、仮想情報光６を投影レンズ２１によって第２の光情報記録媒体９の全面に照射し、且つ第２の光情報記録媒体９の全面に対して一括して第２の仮想記録用参照光１８を照射して複数の領域を一括してマザーを複製することが好ましい。【０１１９】  このマザーを図６等の光情報記録媒体４の位置に配置し、前記のマザー複製時に照射した第２の仮想記録用参照光と同一の仮想再生用参照光を照射すると、仮想再生用参照光が通過する際に、情報記録層の情報記録が行われた照射領域１２の単位で干渉パターンに基づいて記録された仮想情報光６が集光レンズ１０に向けて発生し、更にスレーブやマザーを作製することができる。特に、仮想再生用参照光をマザー全面に照射し、一括露光することによりＣＤやＤＶＤサイズのスレーブを簡単に複製することが可能である。【０１２０】  マスターからマザーを複製すれば、スレーブを生産するための原盤を増やすことができるので、大量生産に有効である。マスターは、各照射領域７に対して、その都度、仮想情報光６及び仮想記録用参照光８を照射して干渉パターンを作製する必要がある。このため、マスターを作製するには膨大な時間と工数がかかり大変な作業であった。これに対し、マザーは、マスターに仮想再生用参照光８’を一括照射することによって、同じ仮想記録用参照光８によって記録された仮想情報光６を一度に再生することができ、更に、マザーに第２の仮想記録用参照光１８を一括照射することによって一度に記録することができるので、マザーを複製するのは非常に簡単な作業なのである。【０１２１】  ただし、マザーから、更に別のマザーを作製することも、スレーブを作製することも簡単であるが故に、マザーのコピーガードも重要である。このため、複数のマザーを作製した場合、複数のマザーにおける第２の仮想記録用参照光１８を共通とするのではなく、マザー毎に第２の仮想記録用参照光１８を異なるものとすることが有効である。【０１２２】  更に、第２の仮想記録用参照光１８の条件として波長や照射角度は、装置などの設計によって、ある程度限定されてしまい、マザーから解析可能であるが、第２の仮想記録用参照光１８を空間光変調器によって、空間的に変調すれば、第２の仮想記録用参照光１８に多数の選択肢を設けることができ、違法な複製を排除することができ、安全性がより高くなる。【０１２３】  このようにすれば、マザーである第２の光情報記録媒体９を不正に入手できたとしても、第２の仮想記録用参照光１８の条件、特に空間変調パターンを知らないと複製を作製することができないのである。【０１２４】  マスター又はマザーからマザー又はスレーブを作製するに際し、マスター又はマザーに記録された情報量は膨大であり、仮想再生用参照光８’によって発生する仮想情報光をなるべく正確に伝達する必要があるため、集光レンズ１０、１１や投影レンズ２０としては、解像度が高く、収差の少ない光学系を用いることが好ましい。例えば、ＩＣやＬＳＩなどの半導体チップの微細な電子回路を露光するために使用される投影露光装置の投影レンズを利用することも可能である。投影露光装置の光学系に使用される投影レンズは、微細なパターンを正確に露光できるように解像度が高く、収差などによる影響を受けにくく設計されている。【０１２５】  図１３（ａ）においては、投影レンズ２０として３つのレンズを光情報記録媒体８側から徐々に大きさが小さくなるように配置し、干渉パターンを正確に露光できるように解像度が高く、収差などによる影響を受けにくく設計されている。また、図１３（ｂ）においては、投影レンズ２０として３つのレンズを光情報記録媒体８側から徐々に大きさが小さくなるように配置し、更に徐々に大きさが大きくなるように同じ３つのレンズを配置して、等倍の大きさのマザーを作製できるように構成されている。図１３（ｂ）の投影レンズ２０を利用して、第２の仮想記録用参照光１８を照射しなければ、等倍の大きさのスレーブも作製できる。【０１２６】  図７は図６に���す方法によって複製された光情報記録媒体９の情報再生方法を示す。図６によって複製された光情報記録媒体９は従前の情報光２と記録用参照光３とを同軸上に配置した記録方法を利用して記録された光情報記録媒体と全く同様にして情報が記録されている。従って、図７に示すように、複製された光情報記録媒体９は仮想情報光６の一部として用いた記録用参照光３と同一の再生用参照光１３を対物レンズ１４を介して照射することにより、記録されている情報を再生情報１５として出射し、対物レンズ１４を経てＣＭＯＳ等の受像素子１６に入射し、その後デコードされて情報として取り出される。光情報記録媒体９の情報記録層の裏側には、トラック等の表示を示すプリピットを含む層９ａが装着されている。【０１２７】  なお、本発明は前記実施の形態に限定されるものではなく、必要に応じて変更することができる。
【図１】
0004512738.tif 000002
【図２】
0004512738.tif 000003
【図３】
0004512738.tif 000004
【図４】
0004512738.tif 000005
【図５】
0004512738.tif 000006
【図６】
0004512738.tif 000007
【図７】
0004512738.tif 000008
【図８】
0004512738.tif 000009
【図９】
0004512738.tif 000010
【図１０】
0004512738.tif 000011
【図１１】
0004512738.tif 000012
【図１２】
0004512738.tif 000013
【図１３】
0004512738.tif 000014